(57)【要約】      （修正有）【課題】ショーケースの設置場所によらず、吸気温度を低く抑えて冷却能力の低下を抑制する。【解決手段】パネルユニット１０は、外気を吸い込む吸込口１１ａが形成され、ショーケース本体２の前面側に位置する前面パネルと、前面パネルの両端に設けられた側壁パネル１２と、前面パネルの吸込口１１ａから吸い込まれた空気を導風する風路１０Ｂを形成するとともに、風路１０Ｂ内を流れる空気を機械室１０Ａ内における一方の側壁パネル１２側に導風する風路１０Ｂを形成する風路形成部１５とを備える。【選択図】図４
2016020748.tif 000002
【特許請求の範囲】
【請求項１】
内部に陳列物を収容する空間が形成され、前面に開口を有するショーケース本体と、
前記ショーケース本体の下部に設置され、圧縮機、凝縮器及び前記凝縮器に送風する凝縮器ファンを収容する機械室が形成されたパネルユニットと
を有し、
前記パネルユニットは、
外気を吸い込む吸込口が形成され、前記ショーケース本体の前面側に位置する前面パネルと、
前記前面パネルの両端に設けられた側壁パネルと、
前記前面パネルの前記吸込口から吸い込まれた空気を導風する風路を形成するとともに、前記風路内を流れる空気を前記機械室内における一方の前記側壁パネル側に導風する風路形成部と
を備えたことを特徴とするショーケース。
【請求項２】
前記凝縮器は、前記側壁パネルに隣接して配置されており、
前記風路形成部は、前記風路が前記機械室の上側に形成されるように配置されたものであって、前記吸込口から吸い込んだ空気を一方の前記側壁パネルと前記凝縮器との間へ導風する請求項１に記載のショーケース。
【請求項３】
前記風路形成部は、一方の前記側壁パネル側へ向かうにつれて下側へ傾斜する傾斜部を有するものであることを特徴とする請求項２に記載のショーケース。
【請求項４】
前記パネルユニットの背面側には、前記凝縮器において熱交換された空気を排出する排気口が形成されており、
前記ショーケース本体の背面側には、前記排気口に連通し上方へ向かって延びる排出風路が形成されていることを特徴とする請求項１〜３のいずれか１項に記載のショーケース。
【発明の詳細な説明】
【技術分野】
【０００１】
本発明は、商品を冷却又は保温しながら陳列するショーケースに関するものである。
【背景技術】
【０００２】
従来から複数の商品棚が多段に設置されたショーケースが知られている（たとえば特許文献１参照）。特許文献１に示すショーケースは、開口を有するケーシング内に陳列棚が配置されたショーケース本体と、ショーケース本体の下部に設置された機械室とを有している。機械室には、凝縮器、凝縮器ファン、ドレンパン、アキュムレータ、圧縮器等が配置されており、ショーケース本体側には、蒸発器及び送風ファンが配置されている。また、機械室において、一方の側壁には吸込口が形成され、他方の側壁に排気口が形成されており、機械室の一方の側壁側に凝縮器が設けられている。そして、一方の側壁の吸込口から凝縮器へ空気が吸い込まれ、他方の側壁の排出口から凝縮器において熱交換された空気が排出される。
【先行技術文献】
【特許文献】
【０００３】
【特許文献１】特開２０１２−２３７２号公報
【発明の概要】
【発明が解決しようとする課題】
【０００４】
しかしながら、特許文献１のように側壁に吸込口が設けられている場合、例えばショーケースの側面に別のショーケースが並んで配置されたときに、隣接するショーケースからの排熱を吸い込むことになる。このように、ショーケースの設置場所によっては機械室内に吸い込まれる空気の吸気温度が高く、凝縮器における熱変換効率が低下してしまう場合がある。
【０００５】
本発明は、上記のような問題点を解決するためになされたものであり、ショーケースの設置場所によらず、吸気温度を低く抑えて冷却能力の低下を抑制することができるショーケースを提供することを目的とする。
【課題を解決するための手段】
【０００６】
本発明のショーケースは、内部に陳列物を収容する空間が形成され、前面に開口を有するショーケース本体と、ショーケース本体の下部に設置され、圧縮機、凝縮器及び凝縮器に送風する凝縮器ファンを収容する機械室が形成されたパネルユニットとを有し、パネルユニットは、外気を吸い込む吸込口が形成され、ショーケース本体の前面側に位置する前面パネルと、前面パネルの両端に設けられた側壁パネルと、前面パネルの吸込口から吸い込まれた空気を導風する風路を形成するとともに、風路内を流れる空気を機械室内における一方の側壁パネル側に導風する風路形成部とを備えるものである。
【発明の効果】
【０００７】
本発明のショーケースによれば、前面パネルの吸込口から吸い込まれた空気を側壁パネル側に導風する風路を形成する風路形成部を備えたことにより、空間が開放されている前面パネル側から外気を吸い込んで側壁パネル側へ導風するため、設置場所によらず機械室に吸い込まれる空気の吸込温度を抑えることができる。
【図面の簡単な説明】
【０００８】
【図１】本発明の実施形態に係るショーケースの一例を示す斜視図である。
【図２】図１のショーケースにおける断面図である。
【図３】図１のショーケースにおけるパネルユニットの構造を示す上面図である。
【図４】図１のショーケースにおけるパネルユニット内の構造の一例を示す斜視図である。
【図５】従来のショーケースのパネルユニット内において空気の流れる様子を示す斜視図である。
【発明を実施するための形態】
【０００９】
以下、本発明に係るショーケースの実施の形態について、図面を参照しながら説明する。図１は、本発明の実施形態に係るショーケースの一例を示す斜視図、図２は図１のショーケースにおける断面図である。なお、図１及び図２のショーケース１は、例えば飲料物等の商品を陳列した状態で冷却もしくは保温を行うものであって、ショーケース本体２及びショーケース本体２の下部に配置されたパネルユニット１０を備えている。なお、以下において、ショーケース本体２内に収納された商品を冷却する場合について例示する。
【００１０】
ショーケース本体２は、例えば断熱壁で形成されており、陳列物を収納するための収納庫２Ａが形成されている。ショーケース本体２は、前面側に陳列物を出し入れするための開口２ｘが形成されたいわゆるオープンショーケースになっている。ショーケース本体２の内部には複数段の陳列棚３が配置されており、各陳列棚３は前後方向（矢印Ｙ方向）にスライド自在に設置されている。そして、各陳列棚３への陳列物の補充等の際には各陳列棚３が前方向に引き出され、補充等が完了した際には各陳列棚３は再び収納庫２Ａ内に収容される。
【００１１】
ショーケース本体２の底面、背面及び上面には、冷気を循環させるための冷気循環ダクト４が形成されており、冷気循環ダクト４内には送風機３１と冷却器３２とが配置されている。送風機３１は、ショーケース本体２の底面に設置されており、開口２ｘ側から収納庫２Ａ内の空気を吸い込み、背面側の冷気循環ダクト４側へ強制的に送風を行う。冷却器３２は、ショーケース本体２の背面側の冷気循環ダクト４内に設置されており、送風機３１から送風された空気を冷却する。
【００１２】
そして、送風機３１により底面から背面側へ強制的に送風が行われ、冷却器３２において空気が冷却された後、冷却された空気は上面の冷気循環ダクト４内に送られる。そして、上面の開口２ｘ側から収納庫２Ａ内へ冷気が流れ、収納庫２Ａ内の冷気が再び送風機３１により底面内の冷気循環ダクト４内に吸い込まれる。このように、ショーケース本体２に収納された商品等の陳列物は冷却（もしくは保温）された状態に保たれる。
【００１３】
パネルユニット１０は、ショーケース本体２の下部に設けられており、例えば箱状に形成されている。パネルユニット１０は、ショーケース本体２の前面側に位置する前面パネル１１と、前面パネル１１の両端に設けられた側壁パネル１２、１３と、ショーケース本体２の背面側に位置する背面パネル１４とを有している。そして、前面パネル１１、側壁パネル１２、１３及び背面パネル１４により囲われた空間には冷凍サイクルを構成する機械要素を収容する機械室１０Ａが形成されている。
【００１４】
前面パネル１１には、機械室１０Ａ内に外気を吸い込む吸込口１１ａが形成されている。吸込口１１ａは、例えば前面パネル１１の上部に幅方向（矢印Ｘ方向）に帯状に並んで形成された複数の貫通孔からなっている。なお、吸込口１１ａは、機械室１０Ａ内に外気を吸い込むものであれば形状、位置及び大きさは問わず、例えば前面パネル１１の上部の中央のみもしくは両端のみに設けられていてもよいし、前面パネル１１の上部にメッシュ状に形成されていてもよい。
【００１５】
図３は図１のショーケースにおけるパネルユニットの構造を示す上面図である。図３に示すように、パネルユニット１０の機械室１０Ａには、圧縮機２１、凝縮器（放熱器）２２、図示しない減圧装置、アキュムレータ２３が冷媒配管により接続された冷凍サイクルが収容されている。なお、減圧装置とアキュムレータ２３との間には上述した冷却器（蒸発器）３２が冷媒配管により接続されている。また、機械室１０Ａには、凝縮器２２に送風を行う凝縮器ファン２４と、ドレン水を貯留するドレンパン（蒸発皿）２５と、ドレンパン２５に貯留されたドレン水を蒸発させるための蒸発板２６が設置されている。
【００１６】
このうち、凝縮器２２は、前後方向（矢印Ｙ方向）に延びるように一方の側壁パネル１２に隣接して配置されている。また、凝縮器ファン２４が凝縮器２２に隣接して配置されており、蒸発板２６は凝縮器ファン２４に隣接して配置されている。そして、凝縮器ファン２４が作動することにより、吸込口１１ａ（図１及び図２参照）から吸い込まれた空気は凝縮器２２、凝縮器ファン２４、蒸発板２６の順に流れるようになっている。
【００１７】
図４は、図１のショーケースにおけるパネルユニット内の構造の一例を示す斜視図である。図４に示すように、パネルユニット１０は、前面パネル１１の吸込口１１ａから吸い込まれた空気を導風する風路１０Ｂを形成するとともに、風路１０Ｂ内を流れる空気を機械室１０Ａの一方の側壁パネル１２側に導風する風路形成部１５を有している。風路形成部１５はパネルユニット１０内の空間を機械室１０Ａと風路１０Ｂとに仕切る仕切り板からなっており、風路１０Ｂが機械室１０Ａの上側に形成されるように配置されている。また、風路形成部１５は他方の側壁パネル１３及び背面パネル１４に対向する衝立１５ｘを有しており、風路形成部１５の上部はショーケース本体２により覆われている。したがって、風路１０Ｂは風路形成部１５及びショーケース本体２により閉じた空間になっている。
【００１８】
風路形成部１５には、一方の側壁パネル１２側において機械室１０Ａと風路１０Ｂとを連通させる隙間もしくは開口穴からなる連通部１５ａが形成されており、連通部１５ａを介して風路１０Ｂの空気が機械室１０Ａ内における一方の側壁パネル１２と凝縮器２２との間へ導風される。さらに、風路形成部１５は、一方の側壁パネル１２側に向かうにつれて下方側（機械室１０Ａ側）に傾斜した傾斜部１５ｂを有しており、空気が傾斜部１５ｂに沿って連通部１５ａへ導かれるようになっている。
【００１９】
パネルユニット１０の背面側には凝縮器２２において熱交換された空気を排熱するための排気口１６が設けられている。この排気口１６は、例えば風路形成部１５の衝立１５ｘと背面パネル１４との隙間からなっており、凝縮器２２において熱交換された空気を上側に排出するものである。また、図２に示すように、ショーケース本体２の背面側には、排気口１６に連通し上方へ向かって延びる排出風路５が形成されており、排気口１６から排出された空気が、排出風路５を通りショーケース本体２の上面から外気へ排出される。なお、前面パネル１１側にも排気口を設け、前面パネル１１側から排熱が行われるようにしてもよい。
【００２０】
次に、図４を参照してショーケース１のパネルユニット１０内における空気の流れについて説明する。まず、圧縮機２１が起動するとともに凝縮器ファン２４が駆動し、吸込口１１ａから外気がパネルユニット１０内へ吸い込まれる。吸込口１１ａから吸い込まれた空気は、風路形成部１５により形成された風路１０Ｂ内に導風された後、連通部１５ａを通って機械室１０Ａ内の一方の側壁パネル１２と凝縮器２２との間へ流れる。この際、風路１０Ｂ内の空気は風路形成部１５の傾斜部１５ｂにより傾斜部１５ｂに沿って連通部１５ａへ導かれる。その後、空気は凝縮器２２において熱交換され、凝縮器ファン２４及び蒸発板２６を通過した後、排気口１６から排出される。排気口１６から排出された空気は、ショーケース本体２の排出風路５を通り、ショーケース本体２の上面から排出される。
【００２１】
上記実施の形態によれば、前面パネル１１の吸込口１１ａから吸い込まれた空気を一方の側壁パネル１２側に導風する風路１０Ｂを形成する風路形成部１５を備えたことにより、陳列物を出し入れするために開放された空間がひろがる前面パネル１１側から外気を吸い込んで一方の側壁パネル１２側へ導風するため、設置場所によらず機械室１０Ａに吸い込まれる空気の吸込温度を抑えることができる。
【００２２】
すなわち、図５は従来のショーケースにおける機械室の空気の流れの一例を示す斜視図である。図５に示すように、従来は凝縮器２２側の一方の側壁パネル１２に吸込口５１が形成され、他方の側壁パネル１３側に排気口５２が形成されている。そして、凝縮器ファン２４の作動により、一方の側壁パネル１２から空気が吸い込まれ、凝縮器２２において熱交換した後に他方の側壁パネル１３の排気口５２から排出されている。したがって、複数のショーケース１が横に並んで配列されている場合、ショーケース１の吸込口５１は、隣接するショーケース１の排気口５２に隣り合う配置状態になるため、隣接するショーケース１から排出された空気を吸い込み、凝縮器２２の熱交換効率が悪くなってしまう。
【００２３】
一方、図４のショーケース１においては、前面パネル１１側にはショーケース本体２から陳列物を取り出す開口２ｘが形成されている。よって、上述したようにショーケース１が並んで配置された場合であっても、前面パネル１１側に吸込口１１ａを設けることにより、吸込口１１ａが排熱に曝されることがないように設置することができる。よって、ショーケース１の設置場所によらず、排熱効率が低下するのを防止することができる。
【００２４】
また、風路形成部１５は、風路１０Ｂが機械室１０Ａの上側に形成されるように配置されたものであって、吸込口１１ａから吸い込んだ空気を一方の側壁パネル１２と凝縮器２２との間へ導風するとき、開口２ｘからショーケース本体２内の冷却された空気が吸込口１１ａから吸い込み易くなるようになっている。このため、吸込口１１ａから風路１０Ｂ内に流入する空気の温度を低くすることができ、凝縮器２２における熱交換効率をさらに向上させることができる。
【００２５】
さらに、風路形成部１５が一方の側壁パネル１２に向かうにつれて下側に傾斜する傾斜部１５ｂを有している場合、吸込口１１ａから凝縮器２２への空気の流れを促進させることができる。
【００２６】
また、凝縮器２２において熱交換された空気が、排気口１６を介して上部から排出されることにより、排出された空気が再び吸込口１１ａに吸い込まれるのを確実に防止し、凝縮器２２における熱交換効率が低下するのを防止することができる。
【００２７】
本発明の実施の形態は、上記実施の形態に限定されない。例えば、風路形成部１５が仕切り板からなっている場合について例示しているが、前面パネル１１の吸込口１１ａから吸い込んだ空気が一方の側壁パネル１２側の凝縮器２２へ導風されるように形成されていればその構成を問わない。例えば、風路形成部１５が、前面パネル１１側の吸込口から一方の側壁パネル１２側へ導風するダクト状の部材からなっていてもよい。また、風路形成部１５は、機械室１０Ａの上部に設けられている場合について例示しているが、吸込口１１ａが前面パネル１１の下部に形成されており、風路形成部１５が、前面パネル１１側から吸い込んだ空気を下側から凝縮器２２へ導風するようにしてもよい。
【００２８】
また、凝縮器２２から排出された空気が排気口１６を介してショーケース本体２の上面から排出される場合について例示しているが、背面パネル１４自体に排気口が設けられており、前面パネル１１側から吸い込んだ空気が背面パネル１４の排出口から排出されるようにしてもよい。さらに、ショーケース本体２の側板と別体からなる場合について例示しているが、ショーケース本体２の側板とパネルユニット１０の側壁パネル１２、１３とが一体的に形成してもよい。
【符号の説明】
【００２９】
１  ショーケース、２  ショーケース本体、２Ａ  収納庫、２ｘ  開口、３  陳列棚、４  冷気循環ダクト、５  排出風路、１０  パネルユニット、１０Ａ  機械室、１０Ｂ  風路、１１  前面パネル、１１ａ  吸込口、１２  側壁パネル、１３  側壁パネル、１４  背面パネル、１５  風路形成部、１５ａ  連通部、１５ｂ  傾斜部、１５ｘ  衝立、１６  排気口、２１  圧縮機、２２  凝縮器、２３  アキュムレータ、２４  凝縮器ファン、２５  ドレンパン、２６  蒸発板、３１  送風機、３２  冷却器、５１  吸込口、５２  排気口。
【図１】
2016020748.tif 000003
【図２】
2016020748.tif 000004
【図３】
2016020748.tif 000005
【図４】
2016020748.tif 000006
【図５】
2016020748.tif 000007